(57)【特許請求の範囲】
【請求項１】
外側が矩形断面とされ、その内側の管路が円形断面とされた一対の相対向するコンクリートを打設してなる暗渠間に設けられる可撓継手であって、
前記暗渠の端部への固定手段を備える一対の円形環状の取付枠体と、
これら一対の取付枠体の外側に設けられて前記暗渠の外形に合わせた矩形状の型枠体と、
前記一対の取付枠体間に跨って取り付けられゴム・合成樹脂などの弾性体からなる略短筒状に形成され中間部に伸縮部を備える可撓止水部材と、
少なくとも前記取付枠体間および前記型枠体間に矩形の外側形状に合わせた形状で設けられる目地部材とからなることを特徴とする暗渠の可撓継手。
【請求項２】
前記型枠体の前記暗渠の外側に位置する部分に位置調整手段を設けて構成してなることを特徴とする請求項１記載の暗渠の可撓継手。
【請求項３】
前記型枠体間に幅止め部材を設けて連結するとともに、吊り金具を設けて吊り降ろし可能に構成してなることを特徴とする請求項１または２記載の暗渠の可撓継手。
【発明の詳細な説明】
【技術分野】
【０００１】
この発明は、暗渠の可撓継手に関し、洞道、上下水道、地下鉄、共同溝等の暗渠の接続に用いる可撓継手で、暗渠の形状が円形断面と矩形断面の組み合わせなどの場合でも簡単に設置位置決めすることができる可撓継手で、特にシールド管路とこれに接続する接続人孔の接続に好適なものである。
【背景技術】
【０００２】
従来から暗渠の構築方法の１つにシールド掘進法があり、セグメントを組立ながらシールド管路を構築することが行われている。
【０００３】
このシールド掘進法による工事では、管路深さが１０数メートルまでは、発進および到達部を鋼矢板などで仮設立坑を設けるようにしており、工事完成後には、仮設立坑にシールド管路に接続する接続人孔を構築することが行われる。
【０００４】
この接続人孔の構築は、例えば図６に示すように、開削された仮設立坑内にシールド管路１までの数メートルの間を、外形が矩形断面でその内側に断面形状が円形の管路を備える現場打設コンクリート構造体２または、シールド掘進で使用したものと同じセグメントを組み立て、このコンクリート構造体２の管路やセグメントを組み立てた管路と接続人孔３とを接続するようにして行われており、管路と接続人孔との間には、耐震性を持たせるため可撓継手を設置するようにしている。
【０００５】
このような立坑用の可撓継手としては、特許文献1に開示されたものがあり、立坑の中間部の水平面間に介装することで、立坑自体に耐震性を付与するようにしている。
【特許文献１】特開平８−４１９２１号公報
【発明の開示】
【発明が解決しようとする課題】
【０００６】
ところが、暗渠の管路と接続人孔との間に可撓継手を設置しようとすると、管路が円形であるのに対し、仮設立坑内に設置する現場打設コンクリート構造物は、工事の都合上、矩形断面で行われる場合が多く、通常、可撓継手は、強度上や構造上シールド管路の断面に合せた円形であるため、円形の管路と矩形のコンクリート構造物の間に可撓継手を位置決めして設置することやその後のコンクリート構造体のコンクリートの打設作業が大変であるという問題がある。
【０００７】
この発明は、上記従来技術の問題点に鑑みてなされたもので、互いに接続する暗渠の断面形状にかかわらず設置や位置決めが容易にできる暗渠の可撓継手を提供しようとするものである。
【課題を解決するための手段】
【０００８】
かかる従来技術の課題を解決するこの発明の請求項１記載の暗渠の可撓継手は、外側が矩形断面とされ、その内側の管路が円形断面とされた一対の相対向するコンクリートを打設してなる暗渠間に設けられる可撓継手であって、前記暗渠の端部への固定手段を備える一対の円形環状の取付枠体と、これら一対の取付枠体の外側に設けられて前記暗渠の外形に合わせた矩形状の型枠体と、前記一対の取付枠体間に跨って取り付けられゴム・合成樹脂などの弾性体からなる略短筒状に形成され中間部に伸縮部を備える可撓止水部材と、少なくとも前記取付枠体間および前記型枠体間に矩形の外側形状に合わせた形状で設けられる目地部材とからなることを特徴とするものである。
【０００９】
この暗渠の可撓継手によれば、外側が矩形断面とされ、その内側の管路が円形断面とされた一対の相対向するコンクリートを打設してなる暗渠間に設けられる可撓継手で、暗渠の端部への固定手段を備える一対の円形環状の取付枠体の外側に暗渠の外形に合わせた矩形状の型枠体を設け、これらの取付枠体間に跨ってゴム・合成樹脂などの弾性体からなる略短筒状に形成され中間部に伸縮部を備える可撓止水部材を取り付け、少なくとも取付枠体間および型枠体間に矩形の外側形状に合わせた形状の目地部材を設けて構成した可撓継手を互いに接続する暗渠の端部に配置してコンクリートを打設することで、暗渠の矩形状の外形に合せた型枠体で簡単に位置決めして円形環状の取付枠体ごと可撓継手を簡単にコンクリートの打設によって設置できるようになる。
【００１０】
また、この発明の請求項２記載の暗渠の可撓継手は、請求項１記載の構成に加え、前記型枠体の前記暗渠の外側に位置する部分に位置調整手段を設けて構成してなることを特徴とするものである。
【００１１】
この暗渠の可撓継手によれば、前記型枠体の前記暗渠の外側に位置する部分に位置調整手段を設けて構成してあり、暗渠の外側の位置調整手段で、一層簡単に可撓継手の設置位置を調整して取り付けることができるようになる。
【００１２】
さらに、この発明の請求項３記載の暗渠の可撓継手は、請求項1または２記載の構成に加え、前記型枠体間に幅止め部材を設けて連結するとともに、吊り金具を設けて吊り降ろし可能に構成してなることを特徴とするものである。
【００１３】
この暗渠の可撓継手によれば、前記型枠体間に幅止め部材を設けて連結するとともに、吊り金具を設けて吊り降ろし可能に構成してあり、幅止め部材で連結することで工場などで組み立てたものを吊り金具を介して暗渠の接続部分に吊り降ろすことができ、一層簡単に位置決め設置して取り付けることができ、完成後の撤去も簡単にできるようになる。
【発明の効果】
【００１４】
この発明の請求項１記載の暗渠の可撓継手によれば、外側が矩形断面とされ、その内側の管路が円形断面とされた一対の相対向するコンクリートを打設してなる暗渠間に設けられる可撓継手で、暗渠の端部への固定手段を備える一対の円形環状の取付枠体の外側に暗渠の外形に合わせた矩形状の型枠体を設け、これらの取付枠体間に跨ってゴム・合成樹脂などの弾性体からなる略短筒状に形成され中間部に伸縮部を備える可撓止水部材を取り付け、少なくとも取付枠体間および型枠体間に矩形の外側形状に合わせた形状の目地部材を設けて構成したので、互いに接続する暗渠の端部に配置してコンクリートを打設することで、暗渠の矩形状の外形に合せた型枠体で簡単に位置決めして円形環状の取付枠体ごと可撓継手を簡単にコンクリートの打設によって設置することができる。
【００１５】
これにより、型枠体で暗渠の外形に合せた形状にできるとともに、円形環状の取付枠体ごと可撓継手を簡単に位置決めしてコンクリートの打設によって設置することができる。
【００１６】
また、この発明の請求項２記載の暗渠の可撓継手によれば、前記型枠体の前記暗渠の外側に位置する部分に位置調整手段を設けて構成したので、暗渠の外側の位置調整手段で、一層簡単に可撓継手の設置位置を調整して取り付けることができる。
【００１７】
さらに、この発明の請求項３記載の暗渠の可撓継手によれば、前記型枠体間に幅止め部材を設けて連結するとともに、吊り金具を設けて吊り降ろし可能に構成したので、幅止め部材で連結することで工場などで組み立てた可撓継手を吊り金具を介して現場の暗渠の接続部分に吊り降ろすことができ、一層簡単に位置決め設置して取り付けることができるとともに、完成後に簡単に撤去して可撓性を付与することができる。
【発明を実施するための最良の形態】
【００１８】
以下、この発明の実施の形態について図面を参照して詳細に説明する。  
図１〜図４は、この発明の暗渠の可撓継手の一実施の形態にかかり、図１は暗渠の概略斜視図、図２は可撓継手の正面図、図３は施工完了状態の断面図、図４は可撓止水部材の正面図、止水部材の押え板の正面図および可撓継手の吊り降ろし状態の断面図である。
【００１９】
この暗渠の可撓継手（以下、単に可撓継手とする。）１０は、例えば図１に示すように、シールド掘進工事における発進および到達部に設けた鋼矢板などで形成した仮設立坑に、工事完成後に水平部の断面形状が矩形で垂直部の断面形状が円形の接続人孔を構築する場合に、開削された仮設立坑内にシールド管路１までの数メートルの間に、外形が矩形断面でその内側に断面形状が円形の管路を備える現場打設コンクリート構造体２または、シールド掘進で使用したものと同じセグメントを組み立て、このコンクリート構造体２の管路やセグメントを組み立てた管路と接続人孔３との間に設けて耐震性を確保するのに用いられ、この可撓継手１０の施工部分は、前後の矩形断面部分と同一の矩形断面となる。
【００２０】
この可撓継手１０は、例えばコンクリート構造物２および接続人孔３で構成される相対向する暗渠１１の目地部分１２の端面１３に配置される環状で板状の取付枠体１４を一対備えており、これらの取付枠体１４には、暗渠１１を構成するそれぞれ打設されるコンクリートに埋設固定されるL字状のアンカー部材１５が溶接等で円周等間隔に複数本（図示例では３６本）取り付けてある。
【００２１】
この環状で板状の取付枠体１４は、図２に示すように、暗渠１１の管路１６の横断面形状および可撓止水部材２１の形状に対応した円形状としてある。
【００２２】
そして、この円形環状の取付枠体１４の外周には、図２に示すように、取付枠体１４の外径より小さい円形の孔が形成されるとともに、外形が矩形とされた板状の型枠体１７が溶接等で取り付けられ、型枠体１７の矩形の上下の目地側にアングル材等で構成した横補強材１８が溶接等で取り付けてある。
【００２３】
また、型枠体１７の矩形の左右の暗渠側には、アングル材等で構成した縦補強材１９が溶接等で取り付けられ、この縦補強材１９の暗渠１１の外側となる部分に位置調整機構２０を構成するレベル調整ブラケット２０ａがボルト２０ｂで取り付けられ、このレベル調整ブラケット２０ａにねじジャッキ２０ｃが取り付けられてねじの伸縮で型枠体１７のレベルを調整して、可撓継手１０の設置位置の調整ができるようになっている。
【００２４】
なお、この位置調整機構２０は、可撓継手１０を設置し、コンクリート打設後、ボルト２０ｂにより型枠体１７から取り外し、再利用される。
【００２５】
また、この可撓継手１０には、対向する取付枠体１４の内側の目地部分１２に略短筒状の可撓止水部材２１が取り付けてある。
【００２６】
この可撓止水部材２１は、図４（ａ）に示すように、ゴムや合成樹脂などの弾性体で略短筒状に形成され、中間部に内周側に断面Ｕ字状に形成された伸縮部２１ａを備えるとともに、この伸縮部２１ａの両側に円筒部２１ｂを介して円筒部２１ｂと直交し暗渠１１の端面１３と平行で密着性を増大する２条の突状が形成されたフランジ部２１ｃを備えて一体に形成され、内部に補強用の補強布２１ｄが入れてある。
【００２７】
そして、可撓止水部材２１の両端部のフランジ部２１ｃの外側面がそれぞれ取付枠体１４に当てられ、止水部材押え板２２を介して取付枠体１４にボルト・ナット２３で締め付けてある。
【００２８】
この止水部材押え板２２には、可撓止水部材２１を位置決めしながら固定する取付枠体１４と平行に配置される円弧板状のフランジ部用固定部２２aを備え、その一端部にフランジ部用固定部２２aと垂直で円弧板状の円筒部用支持部２２ｂが設けられ、他端部には、取付枠体１４の内側表面に当てることで締め代を調整する当て板部２２ｃが突き出すように設けてあり、円周方向に複数に分割したものを複数個使用して取付枠体１４を固定する複数本のボルト・ナット２３ごとに一つずつ使用して可撓止水部材２１を圧着固定するようにしてある。
【００２９】
さらに、この可撓継手１０では、可撓止水部材２１の内周側の目地部分１２をシールするため、ボルト・ナット２３の間に第１目地材２４が配置されるとともに、その内周の取付枠体１４の間に第２目地材２５が配置され、取付枠体１４に溶接等で取り付けた目地材支持金具固定板２６を介してボルト・ナット２７で取り付けたL字状の目地材支持金具２８で第２目地材２５の内周側を支持するようにしてあり、目地材支持金具２８の間に暗渠１１の端面１３間に介装される第３目地材２９を挟むようにして支持できるようにしてある。
【００３０】
これら第１〜第３目地材２４，２５，２９は、例えば発泡ゴムで構成され、地震などの変位を吸収して止水するとともに、打設されるコンクリートの浸入を防止することができるようにしてある。
【００３１】
また、この可撓継手１０では、可撓止水部材２１の外周側の目地部分１２をシールするため、取付枠体１４間に第４目地材３０が配置されて、その外周に設けられて取付枠体１４に溶接等で取り付けられるスキンプレート３１で押えられるとともに、これらスキンプレート３１の外周側で型枠体１７の間に第５目地材３２が配置してある。
【００３２】
これら第４目地材３０および第５目地材３２は、例えば発泡ゴムで構成されたものが用いられる。
【００３３】
したがって、この可撓継手１０では、一対の暗渠１１の対向する目地部分１２に第１〜第５目地材が配置充填されることで塞がれてシールするようになっている。
【００３４】
また、この可撓継手１０の打設されるコンクリートと接する型枠体１７の外側の暗渠１１側には、水膨張ゴム等で構成した止水材３３が取り付けられ、目地部分１２の外側をシールして止水するようにしてある。
【００３５】
このように構成した可撓継手１０は、予め工場で組み立てて一対の暗渠１１の目地部分１２の端面１３に配置するが、この場合には、吊り降ろしや設置作業を容易にするため、図４（c）に示すように、一対の型枠体１７同士を連結する幅止め部材３４が横補強材１８および縦補強材１９の間に複数取り付けられるとともに、上辺部分に吊り金具３５が取り付けられて、吊下げることができるようにしてある。
【００３６】
これにより、完成後には、外側に位置する幅止め部材３４および吊り金具３５を簡単に撤去することができ、可撓性を付与することができる。  
そして、このような可撓継手１０の施工に際しては、吊り金具３５を利用して暗渠１１間の所定の位置に吊り降ろし、位置調整機構２０のねじジャッキ２０ｃのねじを調整してレベル調整を行うことで、可撓継手１０の位置決めが行われる。
【００３７】
さらに、可撓継手１０の目地部分１２の最も内側の第５目地材３２の内周側に管路を構築する管路用型枠３６を配置するとともに、コンクリート構造体２の端面や接続人孔３の端面となる図示しない端面型枠をそれぞれ配置してコンクリートを打設する。
【００３８】
コンクリートの養生後、吊り金具３５および幅止め部材３４を撤去するとともに、位置調整機構２０を撤去する。
【００３９】
これにより、暗渠１１間に予め組み立てた可撓継手１０を設置して円形の可撓止水部材２１で止水することができるとともに、外形を型枠体１７によって矩形に形成することができる。
【００４０】
したがって、構造上、強度上、シールド管路の断面形状に合わせて円形とされた可撓止水部材２１を用いて、現場打設コンクリート構造体の矩形断面の接続人孔を、可撓継手１０を用いることで、現場で簡単に設置位置決め作業を行った後、コンクリートを打設して構築することができる。
【００４１】
また、完成後、外側に位置する吊り金具３５や幅止め部材３４の撤去が簡単にできるとともに、位置調整機構２０も簡単に撤去することができる。
【００４２】
なお、上記実施の形態では、可撓継手１０の両側の暗渠１１をいずれもコンクリート構造物で構成する場合を例に説明したが、例えば図５（a）に示すように、一方がコンクリート構造物で、他方がセグメント４０で構成される場合には、取付枠体１４を固定する固定手段をアンカー部材１５に代え、セグメント４０との連結用のセグメント連結部材４１を取付枠体１４に一体に設け、ボルト４２で連結したり、ボルト固定用孔を形成してボルト・ナットで連結するようにしても良く、両方がセグメント４０で構成される場合には、図５（b）に示すように、両方の取付枠体１４にセグメント連結部材４１を取り付けるようにすれば良い。
【００４３】
なお、上記実施の形態では、シールド管路と接続人孔との接続部分に適用する場合を例に説明したが、これに限らず円形の可撓止水部材を用いて外形を矩形に形成して暗渠同士を接続する場合に広く適用することができる。
【図面の簡単な説明】
【００４４】
【図１】この発明の暗渠の可撓継手の一実施の形態にかかる暗渠の概略斜視図である。
【図２】この発明の暗渠の可撓継手の一実施の形態にかかる可撓継手の正面図である。
【図３】この発明の暗渠の可撓継手の一実施の形態にかかる施工完了状態の断面図である。
【図４】この発明の暗渠の可撓継手の一実施の形態に可撓止水部材の正面図、止水部材の押え板の正面図および可撓継手の吊り降ろし状態の断面図である。
【図５】この発明の暗渠の可撓継手のそれぞれ他の一実施の形態にかかる施工完了状態の断面図である。
【図６】従来の暗渠の可撓継手を備えた暗渠の概略斜視図である。
【符号の説明】
【００４５】
１０            暗渠の可撓継手
１１            暗渠
１２            目地部分
１３            端面
１４            取付枠体
１５            アンカー部材
１６            管路
１７            型枠体
１８            横補強部材
１９            縦補強部材
２０            位置調整機構
２０ａ          レベル調整ブラケット
２０ｂ          ボルト
２０ｃ          ねじジャッキ
２１            可撓止水部材
２１ａ          伸縮部
２１ｂ          円筒部
２１ｃ          フランジ部
２１ｄ          補強布
２２            止水部材押え板
２２ａ          フランジ部用固定部
２２ｂ          円筒部用支持部
２２ｃ          当て板部
２３            ボルト・ナット
２４            第１目地材
２５            第２目地材
２６            目地材支持金具固定板
２７            ボルト・ナット
２８            目地材支持金具
２９            第３目地材
３０            第４目地材
３１            スキンプレート
３２            第５目地材
３３            止水材
３４            幅止め部材
３５            吊り金具
３６            管路用型枠
４０            セグメント
４１          セグメント連結部材
４２          ボルト
【図１】
0004718300.tif 000002
【図２】
0004718300.tif 000003
【図３】
0004718300.tif 000004
【図４】
0004718300.tif 000005
【図５】
0004718300.tif 000006
【図６】
0004718300.tif 000007